【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
手書き文字をデータ化した手書き文字データに係る情報処理を実行する情報処理装置であって、
手書き文字データを構成する複数のストロークからストローク群を生成するストローク群生成手段と、前記ストローク群生成手段により生成されたストローク群に係る文字認識処理を実行するストローク群処理手段とを備え、
前記ストローク群生成手段は、前記手書き文字データを構成するストロークを包含する円を算出し、包含される円同士が連結されている複数のストロークから前記ストローク群を生成することを特徴とする情報処理装置。
【請求項２】
手書き文字をデータ化した手書き文字データに係る情報処理を実行する情報処理装置であって、
手書き文字データを構成する複数のストロークからストローク群を生成するストローク群生成手段と、前記ストローク群生成手段により生成されたストローク群に係る文字認識処理を実行するストローク群処理手段とを備え、
前記ストローク群生成手段は、前記手書き文字データを構成するストロークを包含する正多角形を算出し、包含される正多角形同士が連結されている複数のストロークから前記ストローク群を生成することを特徴とする情報処理装置。
【請求項３】
前記ストローク群処理手段は、前記ストローク生成手段により生成されたストローク群が一字に相当するか一行に相当するかを判定する判定手段と、前記判定手段により一字に相当すると判定されたストローク群に係る文字認識処理を実行する一字認識手段と、前記判定手段により一行に相当すると判定されたストローク群に係る文字認識処理を実行する一行認識手段とを備えることを特徴とする請求項１又は２に記載の情報処理装置。
【請求項４】
前記一字認識手段は、前記ストローク群を回転させる回転手段と、回転させた前記ストローク群から文字を認識する文字認識手段と、異なる角度回転させた前記ストローク群のそれぞれから認識された文字に基づいて、前記ストローク群が相当する文字を決定する文字決定手段とを備えることを特徴とする請求項３に記載の情報処理装置。
【請求項５】
前記一字認識手段は、前記ストローク群を異なる角度回転させる複数の回転手段と、異なる角度回転させた前記ストローク群のそれぞれの文字を認識する複数の文字認識手段と、異なる角度回転させた前記ストローク群のそれぞれから認識された文字に基づいて、前記ストローク群が相当する文字を決定する文字決定手段とを備えることを特徴とする請求項３に記載の情報処理装置。
【請求項６】
前記一行認識手段は、前記ストローク群を構成する文字の文字区切りを検出する文字区切り検出手段と、文字区切りに基づき前記ストローク群を構成する文字の筆記方向を検出する筆記方向検出手段と、筆記方向に基づき前記ストローク群を回転させる回転手段と、回転させた前記ストローク群から文字を認識する文字認識手段とを備えることを特徴とする請求項３に記載の情報処理装置。
【請求項７】
前記一行認識手段は、前記ストローク群を構成する文字の文字区切りを検出する文字区切り検出手段と、文字区切りで区切られた部分毎に前記ストローク群を回転させる回転手段と、文字区切りで区切られた部分毎に前記ストローク群を回転させたストローク群の各文字を認識する文字認識手段と、前記ストローク群を異なる角度回転させたストローク群のそれぞれから認識された文字に基づき、前記ストローク群が相当する文字を決定する文字決定手段とを備えることを特徴とする請求項３に記載の情報処理装置。
【請求項８】
前記文字決定手段は、異なる角度回転させた前記ストローク群から認識された各文字の文字認識結果の確信度に基づき、前記ストローク群が相当する文字を決定することを特徴とする請求項４、５、又は７に記載の情報処理装置。
【請求項９】
前記文字決定手段は、異なる角度回転させた前記ストローク群から認識された各文字の角度変化に応じての出現頻度に基づき、前記ストローク群が相当する文字を決定することを特徴とする請求項４、５、又は７に記載の情報処理装置。
【請求項１０】
前記文字決定手段は、異なる角度回転させた前記ストローク群から認識された各文字の角度変化に対しての安定度に基づき、前記ストローク群が相当する文字を決定することを特徴とする請求項４、５、又は７に記載の情報処理装置。
【請求項１１】
前記判定手段は、前記ストローク群を包含する矩形を算出し、包含される矩形の縦横比に基づき前記ストローク群が一字に相当するか一行に相当するかを判定することを特徴とする請求項３乃至１０のいずれか１項に記載の情報処理装置。
【請求項１２】
前記判定手段は、一字に相当する又は一行に相当すると判定した複数のストローク群同士を同一のストローク群として併合することを特徴とする請求項３乃至１１のいずれか１項に記載の情報処理装置。
【請求項１３】
手書き文字をデータ化した手書き文字データに係る情報処理を実行する情報処理装置であって、
手書き文字データを構成する複数のストロークから文字認識処理の実行対象となるストローク群を生成するストローク群生成手段を備え、
前記ストローク群生成手段は、前記手書き文字データを構成するストロークを包含する円を算出し、包含される円同士が連結されている複数のストロークから前記ストローク群を生成することを特徴とする情報処理装置。
【請求項１４】
手書き文字をデータ化した手書き文字データに係る情報処理を実行する情報処理装置であって、
手書き文字データを構成する複数のストロークから文字認識処理の実行対象となるストローク群を生成するストローク群生成手段を備え、
前記ストローク群生成手段は、前記手書き文字データを構成するストロークを包含する正多角形を算出し、包含される正多角形同士が連結されている複数のストロークから前記ストローク群を生成することを特徴とする情報処理装置。
【請求項１５】
前記ストローク群生成手段は、前記手書き文字データを構成する複数のストロークの中から、前記ストローク群を生成するのに利用する複数のストロークを、ストロークが筆記された時間に基づき選別することを特徴とする請求項１乃至１４のいずれか１項に記載の情報処理装置。
【請求項１６】
手書き文字をデータ化した手書き文字データに係る情報処理を実行する情報処理方法であって、
手書き文字データを構成する複数のストロークからストローク群を生成するストローク群生成段階と、前記ストローク群生成段階で生成されたストローク群に係る文字認識処理を実行するストローク群処理段階とを備え、
前記ストローク群生成段階で、前記手書き文字データを構成するストロークを包含する円を算出し、包含される円同士が連結されている複数のストロークから前記ストローク群を生成することを特徴とする情報処理方法。
【請求項１７】
手書き文字をデータ化した手書き文字データに係る情報処理を実行する情報処理方法であって、
手書き文字データを構成する複数のストロークからストローク群を生成するストローク群生成段階と、前記ストローク群生成段階で生成されたストローク群に係る文字認識処理を実行するストローク群処理段階とを備え、
前記ストローク群生成段階で、前記手書き文字データを構成するストロークを包含する正多角形を算出し、包含される正多角形同士が連結されている複数のストロークから前記ストローク群を生成することを特徴とする情報処理方法。
【請求項１８】
手書き文字をデータ化した手書き文字データに係る情報処理を実行する情報処理方法であって、
手書き文字データを構成する複数のストロークから文字認識処理の実行対象となるストローク群を生成するストローク群生成段階を備え、
前記ストローク群生成段階で、前記手書き文字データを構成するストロークを包含する円を算出し、包含される円同士が連結されている複数のストロークから前記ストローク群を生成することを特徴とする情報処理方法。
【請求項１９】
手書き文字をデータ化した手書き文字データに係る情報処理を実行する情報処理方法であって、
手書き文字データを構成する複数のストロークから文字認識処理の実行対象となるストローク群を生成するストローク群生成段階を備え、
前記ストローク群生成段階で、前記手書き文字データを構成するストロークを包含する正多角形を算出し、包含される正多角形同士が連結されている複数のストロークから前記ストローク群を生成することを特徴とする情報処理方法。
【請求項２０】
前記ストローク群生成段階で、前記手書き文字データを構成する複数のストロークの中から、前記ストローク群を生成するのに利用する複数のストロークを、ストロークが筆記された時間に基づき選別することを特徴とする請求項１６乃至１９のいずれか１項に記載の情報処理方法。
【請求項２１】
請求項１６乃至２０のいずれか１項に記載の情報処理方法をコンピュータに実行させる情報処理プログラム。
【請求項２２】
請求項１６乃至２０のいずれか１項に記載の情報処理方法をコンピュータに実行させる情報処理プログラムが記録されたコンピュータ読取可能な記録媒体。
【手続補正２】
【補正対象書類名】明細書
【補正対象項目名】０００８
【補正方法】変更
【補正の内容】
【０００８】
請求項４に記載の発明（情報処理装置）は、前記一字認識手段は、前記ストローク群を回転させる回転手段と、回転させた前記ストローク群から文字を認識する文字認識手段と、異なる角度回転させた前記ストローク群のそれぞれから認識された文字に基づいて、前記ストローク群が相当する文字を決定する文字決定手段とを備えることを特徴とする請求項３に記載の情報処理装置である。
【手続補正３】
【補正対象書類名】明細書
【補正対象項目名】０００９
【補正方法】変更
【補正の内容】
【０００９】
請求項５に記載の発明（情報処理装置）は、前記一字認識手段は、前記ストローク群を異なる角度回転させる複数の回転手段と、異なる角度回転させた前記ストローク群のそれぞれの文字を認識する複数の文字認識手段と、異なる角度回転させた前記ストローク群のそれぞれから認識された文字に基づいて、前記ストローク群が相当する文字を決定する文字決定手段とを備えることを特徴とする請求項３に記載の情報処理装置である。
【手続補正４】
【補正対象書類名】明細書
【補正対象項目名】００１０
【補正方法】変更
【補正の内容】
【００１０】
請求項６に記載の発明（情報処理装置）は、前記一行認識手段は、前記ストローク群を構成する文字の文字区切りを検出する文字区切り検出手段と、文字区切りに基づき前記ストローク群を構成する文字の筆記方向を検出する筆記方向検出手段と、筆記方向に基づき前記ストローク群を回転させる回転手段と、回転させた前記ストローク群から文字を認識する文字認識手段とを備えることを特徴とする請求項３に記載の情報処理装置である。
【手続補正５】
【補正対象書類名】明細書
【補正対象項目名】００１１
【補正方法】変更
【補正の内容】
【００１１】
請求項７に記載の発明（情報処理装置）は、前記一行認識手段は、前記ストローク群を構成する文字の文字区切りを検出する文字区切り検出手段と、文字区切りで区切られた部分毎に前記ストローク群を回転させる回転手段と、文字区切りで区切られた部分毎に前記ストローク群を回転させたストローク群の各文字を認識する文字認識手段と、前記ストローク群を異なる角度回転させたストローク群のそれぞれから認識された文字に基づき、前記ストローク群が相当する文字を決定する文字決定手段とを備えることを特徴とする請求項３に記載の情報処理装置である。
【手続補正６】
【補正対象書類名】明細書
【補正対象項目名】００１２
【補正方法】変更
【補正の内容】
【００１２】
請求項８に記載の発明（情報処理装置）は、前記文字決定手段は、異なる角度回転させた前記ストローク群から認識された各文字の文字認識結果の確信度に基づき、前記ストローク群が相当する文字を決定することを特徴とする請求項４、５、又は７に記載の情報処理装置である。
【手続補正７】
【補正対象書類名】明細書
【補正対象項目名】００１３
【補正方法】変更
【補正の内容】
【００１３】
請求項９に記載の発明（情報処理装置）は、前記文字決定手段は、異なる角度回転させた前記ストローク群から認識された各文字の角度変化に応じての出現頻度に基づき、前記ストローク群が相当する文字を決定することを特徴とする請求項４、５、又は７に記載の情報処理装置である。
【手続補正８】
【補正対象書類名】明細書
【補正対象項目名】００１４
【補正方法】変更
【補正の内容】
【００１４】
請求項１０に記載の発明（情報処理装置）は、前記文字決定手段は、異なる角度回転させた前記ストローク群から認識された各文字の角度変化に対しての安定度に基づき、前記ストローク群が相当する文字を決定することを特徴とする請求項４、５、又は７に記載の情報処理装置である。
【手続補正９】
【補正対象書類名】明細書
【補正対象項目名】００１６
【補正方法】変更
【補正の内容】
【００１６】
請求項１２に記載の発明（情報処理装置）は、前記判定手段は、一字に相当する又は一行に相当すると判定した複数のストローク群同士を同一のストローク群として併合することを特徴とする請求項３乃至１１のいずれか１項に記載の情報処理装置である。